(57)【要約】本発明のディスプレイ装置は、第一位置と第二位置との間で繰り出し可能に延出され得る可撓ディスプレイ素子を含む。第一位置において、素子はハウジング内に存在し、第二位置において、素子は少なくとも部分的に可視的である。ディスプレイ素子は、折り畳み可能なアームによって、第二位置に支持される。本発明によれば、折り畳み可能なアームは、第一位置から第二位置へ、さらに、第二位置からさらなる位置へのディスプレイの延出を容易にする手段を含む。これらの手段は、ディスプレイが第二位置又は任意のさらなる位置から第一位置へ自動的に戻るいかなるディスプレイの傾向に対しても反作用する。
2006509249.tif 000002
【特許請求の範囲】
【請求項１】
第一位置及び第二位置の双方に存在し得る可撓なディスプレイと、折り畳み可能なアームを含む支持手段とを有し、
前記ディスプレイは、前記第一位置において、その少なくとも大部分がハウジング内のシャフトの周りに巻き上げられ、前記第二位置において、その少なくとも一部が可視的であり、
前記アームは、前記第一位置において、第一蝶番地点の周りで折り畳み可能であり、且つ、前記シャフトに沿って畳み込み可能であり、前記第二位置において、前記ディスプレイを支持する、ディスプレイ装置であって、
前記第二位置への前記ディスプレイの延出を容易にし、且つ、前記第二位置から前記第一位置へ自動的に戻る前記ディスプレイの傾向に反作用する延出手段を有することを特徴とするディスプレイ装置。
【請求項２】
前記折り畳み可能なアームは中空であり、
前記延出手段は、ケーブルと、第一旋回軸とを有し、
該第一旋回軸は、前記第一蝶番位置に位置し、且つ、外側縁部を有し、
前記ケーブルは、前記中空の折り畳み可能なアーム内に延び、前記ハウジングの内部又は上部にある吊設地点に取り付けられ、少なくとも１つの弾性部を含み、且つ、前記ディスプレイが前記第一位置にあるときに、前記第一旋回軸の前記外側縁部の部分に沿って前記第一蝶番地点に位置する、
ことを特徴とする請求項１に記載のディスプレイ装置。
【請求項３】
前記弾性部は、前記吊設地点と前記第一蝶番地点との間に位置するスプリングであることを特徴とする請求項２に記載のディスプレイ装置。
【請求項４】
前記ディスプレイを少なくとも１つの位置に係止し得る係止手段が存在することを特徴とする請求項１、２又は３に記載のディスプレイ装置。
【請求項５】
前記係止手段は、前記ディスプレイを前記第一位置に係止し得る回転ディスクを有することを特徴とする請求項４に記載のディスプレイ装置。
【請求項６】
前記第一旋回軸は非均一な直径を有することを特徴とする請求項２に記載のディスプレイ装置。
【請求項７】
前記ディスプレイがどの程度前記第二位置に延出されるかを決定するための読取手段と、前記第二位置での前記ディスプレイの延出の程度が一旦決定された後に、前記ディスプレイの前記可視的部分にのみ画像を再生する駆動手段と、が存在することを特徴とする請求項１乃至４のうちいずれか１項に記載のディスプレイ装置。
【請求項８】
前記可撓ディスプレイは、前記シャフトと平行に方向付けられた複数のセグメントに細分され、各セグメントは、キャリヤ層を有することを特徴とする請求項１に記載のディスプレイ装置。
【請求項９】
前記キャリヤ層は透明であり、前記ディスプレイの動作中の画像の再生は前記キャリヤ層を通じて起こることを特徴とする請求項８に記載のディスプレイ装置
【請求項１０】
調節可能な外部機器へ信号伝送するための手段をさらに有することを特徴とする請求項１に記載のディスプレイ装置。
【請求項１１】
上記請求項１乃至１０のうちのいずれか１項に記載の当該ディスプレイ装置が存在することを特徴とするディスプレイ装置上に情報を再生するのに適した電子機器。
【発明の詳細な説明】
【技術分野】
【０００１】
本発明は、第一位置及び第二位置に存在し得る可撓なディスプレイを含むディスプレイ装置に関する。第一位置では、ディスプレイはとにかくその少なくとも大部分がハウジング内のシャフトの周りに巻き上げられ、第二位置では、ディスプレイの少なくとも一部が可視的である。ディスプレイ装置は、折り畳み可能なアームを含む支持手段を備え、ディスプレイが第一位置にあるときに、アームは第一蝶番地点の周りで折り畳み可能であり、且つ、シャフトに沿って畳み込まれ得る。第二位置において、アームはディスプレイを支持する。
【０００２】
本発明は、ディスプレイ装置に情報を表示するのに適した電子機器にも関する。
【背景技術】
【０００３】
そのようなディスプレイ装置は米国特許公開第ＵＳ２００２／００７０９１０Ａ１号から既知である。移動体通信に関する既知のディスプレイ装置は、アレイ導波路ディスプレイと呼ばれるディスプレイを含む。さらに、ハウジング内にディスプレイを巻き上げるための巻取装置が存在する。情報を表示するために、使用者はハウジングからディスプレイを引き出す。第二の延出位置でディスプレイを支持するために、折り畳み可能なアームが存在する。この関係で、第二位置は、ディスプレイが完全に延出し且つ全体的に可視的な位置に限定されないことが理解されるべきである。第二位置はディスプレイが少なくとも部分的に、例えば、２５％、４０％又は８０％可視的な位置である。
【０００４】
アームの両端の一方はハウジングの縁部に取り付けられ、ハウジングはディスプレイが通過して移動されるべきスロットを包含する。他端はディスプレイに取り付けられている。この結果、ディスプレイが第二位置にあるときでさえも、使用者は１つの手だけでディスプレイを保持し得る。巻取装置は、スプリングと、投射スクリーンで用いられるようなカムとを含む。ディスプレイを繰り出すためには、ハンドルを引っ張ることだけが必要である。ディスプレイを巻き上げるために、使用者はハンドルを僅かにさらに引き上げて、カムを開放する。その結果、スプリングの動作の故に、ディスプレイは自動的に巻き上がる。代替的に、ディスプレイを解放するために、押しボタンが存在し得る。
【０００５】
既知のディスプレイの欠点は、ディスプレイ装置が頻繁に引き出され且つ押し込まれると、ディスプレイ装置が極めて早期に磨耗を示し得ることである。この故に、ディスプレイが全体的に引き出されたとき、カムは最早十分な抵抗を提供しないことになる。
【発明の開示】
【発明が解決しようとする課題】
【０００６】
従って、既知の巻取装置を用いる場合に比べ、ディスプレイの繰り出し且つ引き込みのためにより堅固な機構が実施される、冒頭において定義付けられた種類のディスプレイ装置を提供することが本発明の目的である。
【課題を解決するための手段】
【０００７】
この目的は、ディスプレイ装置が、ディスプレイを第二位置に延出するのを容易にし、且つ、第二位置から第一位置へ自動的に戻ろうとするディスプレイの傾向に反作用する延出手段を含むことによって達成される。ディスプレイが第二位置にあるときに、特に全体が引き出されたときに、本発明の延出手段は特により解放された状態にある。よって、第二位置は力の均衡がある位置を形成することが理想的である。そうであれば、カムを完全に除去し得る。第二位置に加えて、第三位置及びさらなる位置を設けることも可能であり、それらの各々において力の均衡が実現される。力の均衡は各位置において実現されるのが好ましい。第一位置から第二位置へディスプレイを引き出すことは、延出手段によって容易にされ得る。これらの手段は、第一位置及び第二位置の中間にある第三位置（例えば２０％）から第二位置（例えば５０％）又はさらなる位置（例えば９０％）へ延出することも容易にし得る
【０００８】
本発明の利点は、衝撃、衝突又は特定方向へのディスプレイの移動の故に、ディスプレイが予期せずに巻き上がるという可能性がより少ないことである。勿論、ディスプレイは僅かに巻き戻るかもしれないが、内蔵の対抗力の結果、これは比較的遅く且つ限定的な程度でのみ起こる。この利点は、必然的に、特に若年及び高齢の使用者のためのより大きな安全性である。さらなる利点は、ディスプレイが予期せず巻き上がったときに、ディスプレイに損害を与えることのあるペンが巻き込まれ得ないことである。
【０００９】
ディスプレイが自動的に巻き上がる傾向は、本発明に従ったディスプレイ装置内のスプリングの存在によっても引き起こされ得る。他方、装置が製造されるとき、摩擦力が役割を果たし、或いは、装置の基板、より具体的には、電気光学層を備えた基板は横方向に引っ張り出され得る。この結果、材料中に張力が含まれる。対抗力は、例えば、スプリング又はその類似物を引き延ばすことによって、弾性力を用いて実現されるのが好ましい。しかしながら、他方、対抗力は、例えば、圧電素子、ガス圧、電気モータ又はそのような手段の組み合わせによって実現され得る。スプリングがハウジングに好ましく取り付けられる場合には、圧電素子はプリント回路基板のような担体上に取り付けられるのが好ましい。次に、この担体は既知の方法でハウジング上に取り付けられる。
【００１０】
特別に好適な実施態様において、折り畳み可能なアームは中空であり、延出手段はケーブル及び第一旋回軸を含む。旋回軸は第一蝶番地点に位置し、外側縁部を有する。ケーブルは中空の折り畳み可能なアーム内に延び、ハウジング内部又は上部の吊設地点に取り付けられる。さらに、ケーブルは少なくとも弾性部を有する。最後に、ディスプレイが第一位置にあるとき、ケーブルは第一旋回軸の外側縁部の少なくとも一部に沿った第一蝶番地点に位置する。ケーブルを旋回軸の外側縁部に沿って案内することによって、アームの第一端部と第二端部との間でケーブルによって跨設されるべき長さは、アームが広げられているときよりも、アームが折り畳まれているときの方が長い。よって、ケーブル、より具体的には、その弾性部は第一位置において延出状態にある。
【００１１】
ケーブルは、単一材料のコード又は様々な材料を包含する巻線ワイヤ若しくは場合によっては密閉ワイヤであり得る。内部金属ワイヤを包含するケーブルは有利である。ケーブルのための吊設地点はハウジング内のプリント基板上に位置するのが好ましいが、ハウジング自体に位置してもよい。旋回軸は折り畳み可能なアームに取り付けられるのが好ましい。さらに、１つ以上の折り畳み可能なアームがあってもよく、折り畳み可能なアームは様々な蝶番地点を有してもよい。出来る限り良好な支持を提供するために、中空の折り畳み可能なアームはビーム形状であるのが好ましい。しかしながら、代替的な形状は円筒形状である。中空の折り畳み可能なアームにおける中空部は、ケーブルのための凹部を含み得ることが分るであろう。
【００１２】
さらなる実施態様において、弾性部は、吊設地点と第一蝶番地点との間のケーブル内に位置するスプリングである。従って、所望の弾性を有するスプリングを選択し得るので、それは有利である。スプリングとケーブルとの間の接続は、例えば、ケーブルをスプリングの端部の周りに巻くことによって実現されるのに対し、スプリングの他端は吊設地点に固定される。アーム内でケーブルを利用するお陰で、スプリングはアームの延長である必要性がない。これは装置の設計に大きな自由度をもたらす。
【００１３】
他の実施態様は係止手段を含み、係止手段によってディスプレイを少なくとも１つの位置に係止し得る。そのような係止手段の第一の有利な例は回転ディスクであり、使用者は回転ディスクによってディスプレイを第一位置に係止し得る。そのような回転ディスクは、その縁部の一部がスロット状の開口を通じて突出した状態で、ハウジング内に位置するのが好ましい。そのような回転ディスクは、ケーブルの弾性部としてのスプリングとの組み合わせで特に有利である。その場合には、ケーブルの吊設地点は回転ディスク上、即ち、回転ディスクの偏心地点に位置する。第一位置にあるスプリングは延出状態であり、回転ディスクの回転によって、より小さな延出状態又は非延出状態にされる。延出のための駆動力はない。ディスプレイを巻き上げるための駆動力が同時にある場合、ディスプレイは自動的に巻き上がる。係止手段の他の有利な実施態様は、キー又はディスプレイ装置におけるさらなるディスプレイ上のメニュー機能のような操作手段である。この操作手段は、回転ディスクの同一機構又はスプリング若しくはケーブルに働く力を低減若しくは拡大する他の機構と接続され得る。これに関する他の実施態様は電気モータを利用する。巻取可能なディスプレイの使用が識別コードによって制御され得ることは、電気制御手段の使用の１つの例である。
【００１４】
他の実施態様において、回転ディスクは非均一な直径を有する。この第一の例は楕円形状を有する回転ディスクであり、ケーブルがその周りに巻かれる。これによって、ディスプレイを引っ張り且つ巻き上げる力が、ディスプレイの巻取り幅の全体に亘って均衡され得る。これによって、ディスプレイが幅全体に亘って単純な方法で繰り出され得る。この第二の例は、回転ディスクの縁部に沿った１つ又はそれ以上の局地的な隆起部を有する回転ディスクである。回転ディスクのアールの局地的な変化は中間位置を作り出す。
【００１５】
さらなる実施態様において、第二位置のディスプレイがどの程度延出されるかを決定するために、読取手段が利用可能である。さらに、駆動手段が設けられる。ディスプレイの延出の程度が一旦決定されると、駆動手段を用いて、画像がディスプレイの可視的部分上にのみ再生され得る。ディスプレイが第一及び第二位置とは異なる位置にも存在するときに、この実施態様は著しく適切である。これによって、もしある人が特定の情報の入手を望むならば、ディスプレイの全体が繰り出される必要がないという事実が得られる。これは使用者がディスプレイを完全に引っ張り出す余地がない場合、例えば、電車乗車中に有利である。これは使用者がディスプレイを手の上に置いて僅かなデータのみを見る場合にさらに有利である。読取手段は、例えば、１つ又はそれ以上の光センサを含み、光センサは（もし可能であれば）回転ディスクの上部又は近傍に位置する。その場合には、回転ディスクの位置は各センサに対する光の入射を決定する。読取手段は、例えば、電気モータ内の大歯車にも接続され得る。これに関しては、多くの変形が可能であるのが明らかであろう。駆動手段は、特に、とにかく各ディスプレイ装置において利用可能な駆動回路である。その場合には、駆動回路は、駆動回路が画像形式を調節し、且つ、読取手段からの信号に依存して、表示されるべき情報をこの形式に拡げるようプログラムされる。
【００１６】
さらなる変形において、可撓ディスプレイは、軸と平行に方向付けられた複数のセグメントに細分され、各セグメントはキャリヤ層を有する。キャリヤ層は延出状態におけるディスプレイの支持の改良をもたらす点で、そのようなキャリヤ層の存在は有利である。キャリヤ層は、使用者に面するディスプレイの側面で利用可能であるのが好ましい。この実施態様において、キャリヤ層は透明である。この利点は、ディスプレイが局地的な圧力により良く耐え得ることである。ディスプレイが所謂タッチスクリーン機能を有するときに、これは特に好ましい。この機能を用いて、ディスプレイに触れることによって、使用者はディスプレイ又はディスプレイと協働する機器の機能を呼び出し得る。そのようなタッチスクリーンは当業者に既知である。
【００１７】
可撓ディスプレイは、米国特許公開第ＵＳ２００２／００７０９１０号に記載されているようなＡＷＤ型であり得る。しかしながら、可撓ディスプレイは可撓トランジスタを有するのが好ましく、電気光学層がその上に蒸着される。電気泳動性の電気光学層を用いて、並びに、チェーン状の分子構造を有する半導体材料の可撓トランジスタを用いて、有利な結果が得られる。この例は、半導体配線及び有機半導体であり、それら自体は当業者に既知である。
【００１８】
ディスプレイ装置は、調節可能な外部機器への信号送信手段を含む得る。これらの手段は、例えば、アンテナ、増幅器、トランシーバ及び所望プロトコル（ＧＳＭ，ＣＤＭＡ，Ｗ−ＣＤＭＡ，Ｂｌｕｅｔｏｏｔｈ，Ｗ−ＬＡＮ）に従った信号送信が実現され得る携帯電話のさらなる構成部分である。代替的に、それらはケーブルのための接続であり、ディスプレイ装置はケーブルによってコンピュータ、コンピュータネットワーク又は電気通信ネットワークに接続され得る。
【００１９】
本発明は、電子機器と共にさらに有利に適用され得る。その場合には、ディスプレイ装置は、ワイヤによって送信される信号と共に、或いは、電子機器とディスプレイ装置との間のワイヤレス方式で、別個に設定され得る。ディスプレイ装置は、電子機器に取り外し可能に取り付けられ得る。電子機器の例は、携帯電話及びコンピュータを含む。有利な用途は、ビデオ協議又は多人数の人々とのビデオ会議である。そのような組み合わせは、とりわけ、非出願公開の欧州特許出願第ＥＰ０２０７９１３１．５（ＰＨＮＬ０２０９４２）に記載されている。この出願は、駆動ユニットがどこに位置し得るかをさらに説明している。
【００２０】
本発明のこれらの及び他の特徴は、以下に記載されている実施態様を参照することで明らかに解明されるであろう。
【発明を実施するための最良の形態】
【００２１】
図面は原寸ではなく概略的にのみ示されている。類似の参照番号は同一又は類似の構成部材を示している。図面は例示に過ぎず、保護範囲を決定するものではない。
【００２２】
図１は、第１の用途における本発明に従ったディスプレイ装置の使用を示している。図１において、携帯電話１における使用が示されている。そのような携帯電話１は約２×２ｃｍの寸法を有するディスプレイ２を含むのに対し、携帯電話それ自体は４×１０ｃｍの大きさを有する。ここでは、ディスプレイ３を有するディスプレイ装置がハウジング４，５内に収容され、相互接続ピン６を介して、携帯電話１に電気的に接続可能である。この例において、ハウジングは異なる２つの部分４，５を含む。ここで、ディスプレイの一部５は巻取り形態で存在するのに対し、他の部分４は駆動電子機器及びバッテリをさらに包含している。図１ｂは、ディスプレイ装置を含む携帯電話１を示しており、ディスプレイ３は巻き取られている。
【００２３】
図２は、ディスプレイ３の一部がどのように第一のハウジング部５内に収容されるかを示している。この例において、ハウジング部５はヒンジ５１によって相互接続された第一部分及び第二部分５ａ，５ｂを包含する。ハウジング部５は巻取装置１７を有し、ディスプレイ３は巻取装置１７で巻き上げられる。ディスク１００のシャフト１７を係止する反力をもたらすためにスプリング１０２が存する。ディスクは、１つ又はそれ以上のフック２７を備えたスロット付き凹部１０１を有し、ディスプレイ３はフック上に掛止され得る。折り畳み可能な又は蝶設可能な支持アーム１６が構造全体の機械的安定性を強化する。図示されている蝶設可能アーム１６とディスプレイ３との間の距離は、数マイクロメータ〜数ミリメータのオーダであるのが好ましい。アーム１６は、ハウジング部４ａ，５ａの外側ではなく、それらの内側に位置してもよい。
【００２４】
さらに、この例は係止手段を概略的に示している。係止手段１９を用いて、ハウジング部４，５は相互に固定され得る。係止手段を解除するための押しボタン１８が存する。ハウジング部４はプリント回路基板２０を含む。プリント回路基板は、駆動回路２１と、キー及び他の制御手段への電気的接続２２とを収容する。プリント回路基板２０は、接触面３８への一連の電気的接続２３も収容し、接触面３８は接触面３７に接触し得る。接触面は、ディスプレイの２つの側面のいずれか１つ又は１つの側面のみにあり得る。このハウジング部は、他の集積回路、個別の半導体素子、バッテリ、アンテナ、スピーカ、カメラ及び類似物をさらに含み得る。アンテナは、ピン形状接続２５の代わりに、機器１とディスプレイ装置２との間の無線接続を提供し得る。より具体的には、駆動回路２１又はさらなる回路素子は、（標準的）データ伝送プロトコルの実施のために、換言すれば、（異なる数の線、列及び行等を備えた）異なるディスプレイをどのように用いるかのために用い得る。
【００２５】
この例において、ハウジングは２つの部分４ａ，４ｂを含み、それらの間にディスプレイ３を締め付け得る。このようにして、導電部分６は接触面に接触し得る（この例では、両面接触が示されている）。接触面は、整列ピン又は凹部（この場合では、開口２４）又は光学的若しくは機械的フィードバックの形態を用いた案内部によって整列されている。ディスプレイは数個の接触面のみを包含するのが好ましいので、それらは大きくてもよく、大まかな整列で十分である。
【００２６】
さらに、ハウジング４は、通過されるべきディスプレイ３のために、１つのスロットのみを包含し得る。この関連で、ディスプレイの幅（換言すれば、ディスプレイを巻き上げる軸に対して直交する距離）はスロットの寸法によって制限されないことが分かるであろう。この例では、いずれにしても、ディスプレイ３の最大幅を決定するのはハウジング部５の大きさである。しかしながら、ディスプレイ３は巻取り可能であるだけでなく、幅（繰り出し方向）に対して直交する方向で折り畳み可能である。
【００２７】
図３は、図２によって側面が示されたディスプレイ２を概略的に示す底面図である。ディスプレイ３及び折り畳み可能なアーム１６は、装置の第一及び第二ハウジング部４，５間に位置している。ここで、アームは４つのアーム部１６１，１６２，１６３，１６４を含むが、それは本質的ではない。それらは、旋回軸１７１，１７２，１７３，１７４を介して、アーム１６の蝶番地点で相互に接続されている。中空のアーム１６内には、ケーブル３０が通じている。ケーブルは第一及び第二吊設地点３３，３４から吊り下げられており、第一及び第二弾性部３１，３２を有する。この例において、第一及び第二弾性部はスプリングである。第一吊設位置３３は回転ディスク４０上に位置しているので、それは可変位置を有する。従って、回転ディスク４０の外縁は、部分的にハウジング部５の外側に位置している。
【００２８】
スプリング３１，３２のお陰で、折り畳み可能なアーム１６は、ディスプレイを繰り出すための駆動力を有する。ケーブル３０は、旋回軸１７１，１７２，１７３，１７４の外側を越えて通っている。旋回軸１７１，１７２，１７３，１７４に沿うケーブル３０の長さは、アーム部間の角度αに依存する。長さは、（１８０−α／１８０）*π．rであり、ここで、rは旋回軸の半径である。よって、０．２５ｃｍの半径及び（この例のように）３・1/2の旋回軸を用いると、第一位置と最大の第二位置との間の長さの差は２．７５ｃｍである。よって、スプリング２７の対抗力はスプリング３１，３２の選択によって設定され得る。もし大きな差が所望であれば、旋回軸１７４は大きな直径で構成されるよう選択され得る。
【００２９】
図３は可能な実施態様のみを示していることが当業者に明らかであろう。折り畳み可能なアーム１６はより少ないアーム部１６１−１６４も有し得る。さらに、２つのハウジング部４，５の代わりに、単一のハウジングだけがあってもよい。スプリング２７は全く存在しなくてもよい。その代わりに、ケーブルが所望の程度に弾性的であり得る。また、電気モータが存在してもよい。原則的に、１つの電気モータで十分であるにも拘わらず、例えば、各ハウジング部に１つずつのように、ケーブルに接続された複数の電気モータを用いるのが好ましい。所望の剛性を有するケーブルを選択することによって、１つ又はそれ以上の電気モータも折り畳み可能なアームそれ自体に結合することは厳格に必要ではない。選択的に、先行技術において提案されているように、そのような方法を実施することも不可能ではない。
【００３０】
図４は、図３の実施態様を概略的な断面図で詳細に示している。ここで、ディスプレイは、可撓な束の層１０を含み、軸と平行に方向付けられた数々のセグメント１１に細分されている。各セグメント１１はガラス又はガラス状ポリマの層のようなそれ自体は当業者に既知のキャリヤ層を含むが、可撓な束の層１０は連続的である。セグメント１１間の蝶番を介して、或いは、束１０を介して、セグメント１１は相互に接続されている。セグメント１１は、例えば、硬質基体に切れ目を設けることによって形成される。セグメント１１を有するディスプレイ３の利点は、ディスプレイ３が一方向にのみ屈曲し得ることである。ディスプレイ３との相互作用を困難にする他方向での屈曲は抑制される。これは繰り出されたディスプレイが端部近傍で保持されるのを可能とするのに加え、それにも拘わらず、それは平坦に維持される。この結果、アームの数は１つに制限され得るのが好ましい。これは、吊設地点から蝶番位置へ、２つの蝶番地点間に、或いは、蝶番地点と一端との間に延びるアーム部がディスプレイ３の高さ全体に亘って延び得るという点で有利である。
【００３１】
束の層には、画素のためのトランジスタと、トランジスタを所望の方法で結合し、且つ、それらを駆動回路で駆動させるための導電リンクとがある。加えて、電気光学的層、並びに、トランジスタと接続された陽極及び電気光学層の両面のいずれか一方の上に設けられた陰極が存在する。ディスプレイは、ペンタセン、ポリ−３−ヘキシルチオフェン、ポリチェニレン−ビニレン、ポニフェレン−ビニレン又はポリアラミンのような有機材料の半導体を備えた薄膜トランジスタを包含するのが好ましい。電気光学層は電気泳動性又は液晶性電気光学層であるのが好ましい。
【００３２】
図５は、ディスプレイ３及びセグメント１１を支持するために折り畳み可能なアーム１６を用いることによって、どのように剛的ディスプレイが達成され得るかを示している。使用者は矢印で指し示された方向からキャリヤ層を見る。従って、キャリヤ層は透明である。これはタッチスクリーンの使用を可能にする。
【００３３】
要約すると、可撓ディスプレイを有する表示装置が提供され、可撓ディスプレイは第一位置と第二位置との間で回転によって押込み且つ引延ばし可能である。第一位置において、ディスプレイはハウジング内で実質的に巻き上げられた状態である。第二位置において、それは少なくとも部分的に可視的である。第二位置のディスプレイは折り畳み可能なアームによって支持されている。本発明によれば、そのような折り畳み可能なアームは、ディスプレイを第二位置に引き延ばすことを容易にする手段を含む。同時に、これらの手段はディスプレイ自身が巻き上がる固有の傾向に反作用する。
【図面の簡単な説明】
【００３４】
【図１】移動体通信用途におけるディスプレイ装置の使用を示す概略図である。
【図２】ディスプレイ装置のハウジング部を示す概略図である。
【図３】ディスプレイ装置を示す底面図である。
【図４】ディスプレイ装置のディスプレイ部を概略的に示す断面図である。
【図５】図４のディスプレイ部のさらなる変形を概略的に示す断面図である。
2006509249.tif 000003
【図２】
2006509249.tif 000004
【図３】
2006509249.tif 000005
【図４】
2006509249.tif 000006
【図５】
2006509249.tif 000007
【国際調査報告】
2006509249.tif 000008
2006509249.tif 000009